(57)【要約】      （修正有）【課題】ヒトの背中の表面において背骨に沿って形成された窪みに沿って流れ落ちる汗を吸収することができる背中用汗吸収具を提供する。【解決手段】背中用汗吸収具１０は、ヒトの背中の表面において背骨に沿って形成された窪みのうち、下方の窪みに配置され、汗を吸収する材質により形成された汗吸収体３０と、汗吸収体３０が窪みに配置された状態を保持するための保持部材２０と、を備えている。【選択図】図１
0003226497.tif 000002
【実用新案登録請求の範囲】
【請求項１】
ヒトの背中の表面において背骨に沿って形成された窪みのうち、下方の窪みに配置され、汗を吸収する材質により形成された汗吸収体と、
前記汗吸収体が前記窪みに配置された状態を保持するための保持部材と、
を備えていることを特徴とする背中用汗吸収具。
【請求項２】
前記保持部材は、
前記ヒトの背中または腰の周囲に装着するように構成されており、
前記汗吸収体は、前記保持部材本体に着脱可能に取付けられていることを特徴とする請求項１に記載の背中用汗吸収具。
【請求項３】
前記保持部材は、自身の長さを調節可能であることを特徴とする請求項１または請求項２に記載の背中用汗吸収具。
【請求項４】
前記保持部材は、バネ性を有することを特徴とする請求項１ないし請求項３のいずれか１つに記載の背中用汗吸収具。
【請求項５】
前記保持部材のうち、少なくとも前記ヒトと接触する面が、汗を吸収する部材によって覆われていることを特徴とする請求項１ないし請求項４のいずれか１つの記載の背中用汗吸収具。
【請求項６】
前記保持部材は、
前記ヒトの背中または腰の周囲に装着可能な帯状の芯材と、
前記汗を吸収する部材であって前記芯材を覆う袋状の部材と、
前記袋状の部材に形成されており、前記芯材を挿脱するための切り込みと、を備えていることを特徴とする請求項５に記載の背中用汗吸収具。
【請求項７】
前記汗吸収体は、
前記窪みに嵌合する形状に形成されていることを特徴とする請求項１ないし請求項６のいずれか１つに記載の背中用汗吸収具。
【考案の詳細な説明】
【技術分野】
【０００１】
本考案は、ヒトの背中の汗を吸収する背中用汗吸収具に関する。
【背景技術】
【０００２】
従来、この種の背中用汗吸収具として、不織布シートに腰ひもや肩ひもを取付け、その腰ひもや肩ひもを使って不織布シートを背中に装着するものが知られている（特許文献１）。
【先行技術文献】
【特許文献】
【０００３】
【特許文献１】実用新案登録第３１８１００２号公報
【考案の概要】
【考案が解決しようとする課題】
【０００４】
ところで、ヒトは、立位姿勢のとき、立ち作業を行っているとき、あるいは、歩行しているときは、背もたれ付きの椅子に着座しているときや仰臥位のときと比較して、下着が背中と接触し難い時間が増加する状況になる。このような状況下では、背中に発生した汗は、下着の背中の部分で吸収されないで腰部まで流れ落ち易くなるため、腰部付近の下着、スラックス、上着などが汗浸しになってしまうことがある。
特に、図５に示すように、ヒトの背中５０の表面には、背骨に沿って窪み５１が形成されているため、背中５０で発生した汗は、窪み５１に集まり、窪み５１に沿って流れ落ちる傾向にあり、窪み５１付近の下着、スラックスおよび上着が汗浸しになり易い。
しかし、下着は窪み５１と接触し難いため、窪み５１に沿って流れ落ちる汗を吸収し難いという問題がある。また、前述した従来のものも、不織布シートが窪み５１と接触し難いため、下着と同様の問題がある。
【０００５】
そこで、本考案は、上述した課題を解決するために鋭意研究の結果創出されたものであり、ヒトの背中の表面において背骨に沿って形成された窪みに沿って流れ落ちる汗を吸収することができる背中用汗吸収具を提供することを主な目的とする。
【課題を解決するための手段】
【０００６】
（請求項１に係る考案）
前述した目的を達成するため、本出願の請求項１に係る考案は、
ヒトの背中の表面において背骨に沿って形成された窪み（５１）のうち、下方の窪みに配置され、汗を吸収する材質により形成された汗吸収体（３０）と、
汗吸収体（３０）が窪み（５１）に配置された状態を保持するための保持部材（２０，４０）と、を備えている背中用汗吸収具（１０）という技術的手段を有する。
【０００７】
（請求項２に係る考案）
請求項２に係る考案では、請求項１に記載の背中用汗吸収具（１０）において、
保持部材（２０，４０）は、
ヒトの背中（５０）または腰（６０）の周囲に装着するように構成されており、
汗吸収体（３０）は、保持部材（２０，４０）に着脱可能に取付けられているという技術的手段を有する。
【０００８】
（請求項３に係る考案）
請求項３に係る考案では、請求項１または請求項２に記載の背中用汗吸収具（１０）において、
保持部材（２０，４０）は、自身の長さを調節可能であるという技術的手段を有する。
【０００９】
（請求項４に係る考案）
請求項４に係る考案では、請求項１ないし請求項３のいずれか１つに記載の背中用汗吸収具（１０）において、
保持部材（２０）は、バネ性を有するという技術的手段を有する。
【００１０】
（請求項５に係る考案）
請求項５に係る考案では、請求項１ないし請求項４のいずれか１つに記載の背中用汗吸収具（１０）において、
保持部材（２０，４０）のうち、少なくともヒトと接触する面が、汗を吸収する部材（２５，４８）によって覆われているという技術的手段を有する。
【００１１】
（請求項６に係る考案）
請求項６に係る考案では、請求項５に記載の背中用汗吸収具（１０）において、
保持部材（２０，４０）は、
ヒトの背中（５０）または腰（６０）の周囲に装着可能な帯状の芯材（２４，４７）と、
汗を吸収する部材（２５，４８）であって芯材（２４，４７）を覆う袋状の部材（２５，４８）と、
袋状の部材（２５，４８）に形成されており、芯材（２４，４７）を挿脱するための切り込み（２７，４９）と、を備えているという技術的手段を有する。
【００１２】
（請求項７に係る考案）
請求項７に係る考案では、請求項１ないし請求項６のいずれか１つに記載の背中用汗吸収具（１０）において、
汗吸収体（３０）は、窪み（５１）に嵌合する形状に形成されているという技術的手段を有する。
【００１３】
なお、上記各括弧内の符号は、後述する実施形態に記載の具体的手段との対応関係を示すものである。
【考案の効果】
【００１４】
（請求項１に係る考案の効果）
請求項１に係る考案によれば、汗を吸収する材質により形成された汗吸収体を、ヒトの背中の表面において背骨に沿って形成された窪みのうち、下方の窪みに配置された状態を保持することができる。
従って、窪みに沿って流れ落ちる汗を窪みの下方の窪みに配置された汗吸収体によって吸収することができる。
【００１５】
（請求項２に係る考案の効果）
請求項２に係る考案によれば、保持部材は、ヒトの背中または腰の周囲に装着するように構成されているため、保持部材が首に紐を掛ける構成になっているもののように、背中用汗吸収具を装着していることが外部から分かるおそれがない。
また、汗吸収体は、保持部材に着脱可能に取付けられているため、汗を吸収した汗吸収体を取り替えることができる。
【００１６】
（請求項３に係る考案の効果）
請求項３に係る考案によれば、保持部材は、自身の長さを調節可能であるため、腰回りに応じて長さを調節することができるので、背中用汗吸収具の適用範囲を広くすることができる。
【００１７】
（請求項４に係る考案の効果）
請求項４に係る考案によれば、保持部材は、バネ性を有するため、保持部材が背中や腰に保持された状態を維持することができるので、汗吸収体が背中の窪みからずれ難い。また、保持部材は、手を離してもずり落ちないため、使用者は１人で背中用汗吸収具を装着することができる。
【００１８】
（請求項５に係る考案の効果）
請求項５に係る考案によれば、保持部材のうち、少なくともヒトと接触する面が、汗を吸収する部材によって覆われているため、背中の窪み以外にも、保持部材に向けて流れ落ちる汗を吸収することができる。
【００１９】
（請求項６に係る考案の効果）
請求項６に係る考案によれば、保持部材は、ヒトの背中または腰の周囲に装着可能な帯状の芯材を備えているため、スラックスのベルトを装着する要領で背中用汗吸収具を装着することができる。
しかも、請求項６に係る考案によれば、汗を吸収する部材であって芯材を覆う袋状の部材と、袋状の部材に形成されており、芯材を挿脱するための切り込みと、を備えているため、芯材を切り込みを介して袋状の部材から挿脱することができるため、袋状の部材を容易に交換することができる。
【００２０】
（請求項７に係る考案の効果）
請求項７に係る考案によれば、汗吸収体は、窪みに嵌合する形状に形成されているため、窪みに沿って流れ落ちる汗を効率良く吸収することができる。
【００２１】
上述したように、本考案によれば、ヒトの背中の表面において背骨に沿って形成された窪みに沿って流れ落ちる汗を吸収することができる背中用汗吸収具を提供することができる。
【図面の簡単な説明】
【００２２】
【図１】本考案の実施形態に係る背中用汗吸収具の説明図であり、（Ａ）は全体図、（Ｂ）は（Ａ）のＡ−Ａ矢視断面図である。
【図２】図１に示す背中用汗吸収具を構成する汗吸収体の説明図である。
【図３】図１に示す背中用汗吸収具を腰に装着した状態を示す説明図である。
【図４】本考案の第２実施形態に係る背中用汗吸収具の説明図であり、（Ａ）は全体図、（Ｂ）は（Ａ）のＢ−Ｂ矢視断面図である。
【図５】ヒトの背中の説明図である。
【考案を実施するための形態】
【００２３】
〈第１実施形態〉
本考案に係る背中用汗吸収具の第１実施形態について説明する。
［背中用汗吸収具の構造］
最初に、本実施形態に係る背中用汗吸収具の構造について図を参照しつつ説明する。
図１（Ａ）に示すように、本実施形態に係る背中用汗吸収具１０は、汗を吸収する汗吸収体３０と、この汗吸収体３０が着脱可能に取付けられた保持部材２０とを備えている。保持部材２０は、帯状の部材を平面視略縦長のＣ字状に成形した形状であって、ヒトの腰の周囲形状に対応した形状に形成されており、背中５０（図５）または腰６０（図５）の周囲に装着可能に構成されている。保持部材２０は、ヒトの背中５０または腰６０の後ろに当接する後部２１と、背中５０または腰６０の左右両端に当接する端部２２，２２とを備えている。
【００２４】
図１（Ｂ）に示すように、背中用汗吸収具１０は、断面板状の芯材２４と、芯材２４の周囲を覆う吸収材２５とを有する二重構造である。本実施形態では、芯材２４は、ヒトの背中５０または腰６０の周囲に装着可能な帯状に形成されている。また、芯材２４は、合成樹脂により形成されており、バネ性を有する。このため、保持部材２０を背中５０（図５）または腰６０（図５）に装着した場合、保持部材２０のバネ力により、背中５０または腰６０を挾持する状態になるため、保持部材２０が装着位置からズレ難い。また、保持部材２０は、手を離してもずり落ちないため、使用者は１人で背中用汗吸収具１０を装着することができる。さらに、各端部２２間の間隔をバネ力に抗して広げることができるため、様々な体格のヒトにも背中用汗吸収具１０を装着することができる。
【００２５】
吸収材２５は、保持部材２０の形状に対応した形状であって袋状に形成されている。吸収材２５のうち、保持部材２０の一方の端部２２を覆う部分には、切り込み２７が形成されており、その切り込み２７を介して芯材２４を挿脱することができるように構成されている。つまり、汗を吸収した吸収材２５を容易に交換することができる。
本実施形態では、吸収材２５は、汗を吸収する材料、例えば、綿などの天然繊維、あるいは、不織布、レーヨン（登録商標）、ポリウレタン、ポリエステルなどの合成繊維によって形成されている。吸収材２５は、本考案の汗を吸収する部材または袋状の部材の一例である。
【００２６】
図２に示すように、ヒトの背中５０の表面において背骨に沿って形成された窪み５１は、断面形状が凹型の円弧状に形成されている。汗吸収体３０は、断面形状が凸型の円弧状であって、窪み５１に嵌合する形状に形成されている。汗吸収体３０の表面３１は、窪み５１の形状に合致した形状に形成されている。また、汗吸収体３０の裏面３２には、面ファスナー３３が取付けられている。保持部材２０の後部２１の裏面２３には、汗吸収体３０の面ファスナー３３を貼着可能な面ファスナー２６が取付けられている。つまり、汗吸収体３０は、保持部材２０の後部２１の裏面２３に着脱可能に取付けられている。これにより、汗を吸収した汗吸収体３０を容易に交換することができる。
【００２７】
本実施形態では、汗吸収体３０は、綿（わた）を綿（めん）製の布で包んで構成されており、弾性を有し、変形することにより、窪み５１に密着する。なお、汗吸収体３０は、汗を吸収することができれば、どのような材料によって形成することもでき、例えば、不織布、レーヨン（登録商標）、ポリウレタン、ポリエステルなどの合成繊維によって形成することもできる。また、汗吸収体３０は、変形可能であるため、窪み５１に合致する形状よりも大きく形成した場合でも、変形することにより、窪み５１に嵌合することもできる。
【００２８】
［背中用汗吸収具の使用方法］
次に、本実施形態に係る背中用汗吸収具の使用方法について図３を参照しつつ説明する。
先ず、背中用汗吸収具１０の使用者は、背中用汗吸収具１０を装着する腰６０の肌が露出した状態を作る。そして、背中用汗吸収具１０を腰６０の後ろに回し、保持部材２０の端部２２，２２をそれぞれ外側へ広げ、汗吸収体３０が背中５０の窪み５１のうち、下方、つまり、腰６０の辺りの窪み５１に嵌合するように背中用汗吸収具１０を腰６０に装着する。
また、背中用汗吸収具１０を外す場合は、保持部材２０の端部２２，２２をそれぞれ外側へ広げて腰６０から外す。
【００２９】
また、汗吸収体３０を交換する場合は、面ファスナー２６，３４によって貼着されている汗吸収体３０を保持部材２０から外し、面ファスナーを２６，３４使って新しい汗吸収体３０を保持部材２０に貼着する。
また、吸収材２５を交換する場合は、切り込み２７から芯材２４を取出し、新しい吸収材２５の切り込み２７から芯材２４を挿入する。
【００３０】
［第１実施形態の効果］
（１）上述した第１実施形態に係る背中用汗吸収具１０によれば、汗を吸収する材質により形成された汗吸収体３０を、ヒトの背中５０の表面において背骨に沿って形成された窪み５１のうち、下方の窪み５１に配置された状態を保持することができる。
従って、窪み５１に沿って流れ落ちる汗を窪み５１の下方の窪み５１に配置された汗吸収体３０によって吸収することができる。
【００３１】
（２）しかも、前述した第１実施形態に係る背中用汗吸収具１０によれば、保持部材２０は、ヒトの背中５０または腰６０の周囲に装着するように構成されているため、保持部材が首に紐を掛ける構成になっているもののように、背中用汗吸収具を装着していることが外部から分かるおそれがない。
また、汗吸収体３０は、保持部材２０に着脱可能に取付けられているため、汗を吸収した汗吸収体３０を取り替えることができる。
【００３２】
（３）さらに、前述した第１実施形態に係る背中用汗吸収具１０によれば、保持部材２０は、バネ性を有するため、保持部材２０が背中や腰に保持された状態を維持することができるので、汗吸収体３０が背中５０の窪み５１からずれ難い。また、保持部材２０は、手を離してもずり落ちないため、使用者は１人で背中用汗吸収具１０を装着することができる。
【００３３】
（４）さらに、前述した第１実施形態に係る背中用汗吸収具１０によれば、保持部材２０のうち、少なくともヒトと接触する面が、汗を吸収する吸収材２５によって覆われているため、背中の窪み５１以外にも、保持部材２０に向けて流れ落ちる汗を吸収することができる。
【００３４】
（５）さらに、前述した第１実施形態に係る背中用汗吸収具１０によれば、保持部材２０は、ヒトの背中５０または腰６０の周囲に装着可能な帯状の芯材２４を備えているため、スラックスのベルトを装着する要領で背中用汗吸収具１０を装着することができる。
しかも、吸収材２５は袋状に形成されており、芯材２４を挿脱するための切り込み２７を備えているため、芯材２４を切り込み２７を介して吸収材２５から挿脱することができるので、吸収材２５を容易に交換することができる。
【００３５】
（６）さらに、前述した第１実施形態に係る背中用汗吸収具１０によれば、汗吸収体３０は、窪み５１に嵌合する形状に形成されているため、窪み５１に沿って流れ落ちる汗を効率良く吸収することができる。
【００３６】
〈第２実施形態〉
次に、本考案の第２実施形態に係る背中用汗吸収具について図４を参照しつつ説明する。本実施形態に係る背中用汗吸収具１０は、保持部材の長さを調節することができることを特徴としている。
図４（Ａ）に示すように、背中用汗吸収具１０は、汗を吸収する汗吸収体３０と、この汗吸収体３０が着脱可能に取付けられた保持部材４０とを備えている。保持部材４０は、帯状に形成されており、変形可能であり、スラックスなどに装着するベルトのように使うことができる。保持部材４０は、ヒトの腰の後ろに当接する後部４１と、腰の左右両端に当接する端部４２，４３とを備えている。保持部材４０の後部４１の裏面４４には、汗吸収体３０が着脱可能に取付けられている。
【００３７】
図４（Ｂ）に示すように、背中用汗吸収具１０は、断面板状の芯材４７と、芯材４７の周囲を覆う吸収材４８とを有する二重構造である。本実施形態では、芯材４７は、ヒトの背中５０または腰６０の周囲に装着可能な帯状に形成されている。また、芯材４７は、合成樹脂または皮革あるいは合成皮革により、軟質の帯状に形成されており、変形可能である。吸収材４８は、保持部材４０の形状に対応した形状であって袋状に形成されている。吸収材４８のうち、保持部材４０の一方の端部４３を覆う部分には、切り込み４９が形成されており、その切り込み４９を介して芯材４７を挿脱することができるように構成されている。つまり、汗を吸収した吸収材４８を容易に交換することができる。なお、吸収材４８の形成材料は、前述した吸収材２５と同じ形成材料を用いることができる。吸収材４８は、本考案の汗を吸収する部材または袋状の部材の一例である。
【００３８】
一方の端部４２の表面には、面ファスナー４５が保持部材４０の長手方向に沿って取付けられており、他方の端部４３の裏面には、面ファスナー４５に貼着可能な面ファスナー４６が保持部材４０の長手方向に沿って取付けられている。このため、使用者の腰回りに応じて面ファスナー４５，４６の貼着位置を調節することができるため、様々な腰回りのサイズのヒトにも背中用汗吸収具１０を装着することができる。
背中用汗吸収具１０の使用方法は、スラックスに装着するベルトと同等の使用方法であり、肌が露出した腰の周囲に、汗吸収体３０が背中５０の窪み５１に嵌合するように装着すれば良い。また、吸収材４８を交換する場合は、切り込み４９から芯材４７を取出し、新しい吸収材４８の切り込み４９から芯材４７を挿入する。
【００３９】
［第２実施形態の効果］
上述した第２実施形態に係る背中用汗吸収具１０によれば、保持部材４０は、自身の長さを調節可能であるため、使用者の腰回りに応じて長さを調節することができるので、背中用汗吸収具１０の適用範囲を広くすることができる。
また、面ファスナー４５，４６の貼着位置を微調整することができるため、腰を締付ける力を所望の力に調節することができる。
【００４０】
〈他の実施形態〉
（１）保持部材２０または保持部材４０を紐状に形成し、紐の両端を結ぶことにより、腰に装着する構成でも良い。この場合、汗吸収体３０を取付ける部分は、幅広に形成し、それ以外の部分を紐状にすれば、汗吸収体３０を背中５０の窪み５１に保持し易い。また、腰回りの異なるヒトにも適用することができる。
【００４１】
（２）磁石を利用して、汗吸収体３０を保持部材２０または保持部材４０に着脱可能に取付けることもできる。例えば、汗吸収体３０の内部または裏面に磁石を取付け、保持部材２０または保持部材４０の表面または内部に上記磁石を吸引する鉄などの金属製部材を取付ける。また、汗吸収体３０の内部または裏面に上記金属製部材を取付け、保持部材２０または保持部材４０の表面または内部に上記磁石を取付けても良い。
【００４２】
（３）ホックを利用して、汗吸収体３０を保持部材２０または保持部材４０に着脱可能に取付けることもできる。例えば、汗吸収体３０の裏面にホックの一方（ダボ）を取付け、保持部材２０または保持部材４０の表面に上記ホックの一方と嵌合する他方（バネ）を取付ける。また、汗吸収体３０の裏面に上記ホックの他方（バネ）を取付け、保持部材２０または保持部材４０の表面に上記ホックの一方（ダボ）を取付けても良い。
【００４３】
（４）ボタンやフックを利用して、汗吸収体３０を保持部材２０または保持部材４０に着脱可能に取付けることもできる。
【００４４】
（５）第２実施形態の背中用汗吸収具１０において、保持部材４０として、スラックスなどに装着するベルトを用いることもできる。この構成によれば、市販されているベルトを利用することができるため、製造コストを低減することができる。
【００４５】
（６）吸収材２５（４８）と汗吸収体３０とを一体形成することもできる。例えば、吸収材２５（４８）のうち、汗吸収体３０に対応する部分を、背中５０の窪み５１に嵌合する形状に形成する。この構成によれば、吸収材２５（４８）および汗吸収体３０を同時に交換することができるため、便利である。
【００４６】
（７）背中用汗吸収具１０は、下着の上から装着し、下着から浸み出た汗を吸収するようにすることもできる。
【符号の説明】
【００４７】
１０・・背中用汗吸収具
２０・・保持部材
２１・・後部
２２・・端部
２３・・裏面
２４・・芯材
２５・・吸収材
２６・・面ファスナー
２７・・切り込み
３０・・汗吸収体
３１・・表面
３２・・裏面
３３・・面ファスナー
４０・・保持部材
４１・・後部
４２，４３・・端部
４４・・裏面
４５，４６・・面ファスナー
４７・・芯材
４８・・吸収材
５０・・背中
５１・・窪み
６０・・腰
【図１】
0003226497.tif 000003
【図２】
0003226497.tif 000004
【図３】
0003226497.tif 000005
【図４】
0003226497.tif 000006
【図５】
0003226497.tif 000007
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
ヒトの背中の表面において背骨に沿って形成された窪みのうち、下方の窪みに配置され、汗を吸収する材質により形成された汗吸収体と、
前記汗吸収体が前記窪みに配置された状態を保持するための帯状または紐状の保持部材と、
を備えていることを特徴とする背中用汗吸収具。
【請求項２】
前記保持部材は、
前記ヒトの背中または腰の周囲に装着するように帯状または紐状に構成されており、
前記汗吸収体は、前記保持部材本体に着脱可能に取付けられていることを特徴とする請求項１に記載の背中用汗吸収具。
【請求項３】
前記保持部材は、自身の長さを調節可能な面ファスナーを有することを特徴とする請求項１または請求項２に記載の背中用汗吸収具。
【請求項４】
前記保持部材は、平面視略縦長のＣ字状に成形した形状であって、バネ性を有することを特徴とする請求項１ないし請求項３のいずれか1つに記載の背中用汗吸収具。
【請求項５】
前記保持部材のうち、少なくとも前記ヒトと接触する面が、汗を吸収する部材によって覆われていることを特徴とする請求項１ないし請求項４のいずれか１つの記載の背中用汗吸収具。
【請求項６】
前記保持部材は、
前記ヒトの背中または腰の周囲に装着可能な帯状の芯材と、
前記汗を吸収する部材であって前記芯材を覆う袋状の部材と、
前記袋状の部材に形成されており、前記芯材を挿脱するための切り込みと、を備えていることを特徴とする請求項５に記載の背中用汗吸収具。
【請求項７】
前記汗吸収体は、
前記窪みに嵌合する形状に形成されていることを特徴とする請求項１ないし請求項６のいずれか１つに記載の背中用汗吸収具。
【手続補正２】
【補正対象書類名】明細書
【補正対象項目名】０００６
【補正方法】変更
【補正の内容】
【０００６】
（請求項１に係る考案）
前述した目的を達成するため、本出願の請求項１に係る考案は、
ヒトの背中の表面において背骨に沿って形成された窪み（５１）のうち、下方の窪みに配置され、汗を吸収する材質により形成された汗吸収体（３０）と、
汗吸収体（３０）が窪み（５１）に配置された状態を保持するための帯状または紐状の保持部材（２０，４０）と、を備えている背中用汗吸収具（１０）という技術的手段を有する。
【手続補正３】
【補正対象書類名】明細書
【補正対象項目名】０００７
【補正方法】変更
【補正の内容】
【０００７】
（請求項２に係る考案）
請求項２に係る考案では、請求項１に記載の背中用汗吸収具（１０）において、
保持部材（２０，４０）は、
ヒトの背中（５０）または腰（６０）の周囲に装着するように帯状または紐状に構成されており、
汗吸収体（３０）は、保持部材（２０，４０）に着脱可能に取付けられているという技術的手段を有する。
【手続補正４】
【補正対象書類名】明細書
【補正対象項目名】０００８
【補正方法】変更
【補正の内容】
【０００８】
（請求項３に係る考案）
請求項３に係る考案では、請求項１または請求項２に記載の背中用汗吸収具（１０）において、
保持部材（２０，４０）は、自身の長さを調節可能な面ファスナーを有するという技術的手段を有する。
【手続補正５】
【補正対象書類名】明細書
【補正対象項目名】０００９
【補正方法】変更
【補正の内容】
【０００９】
（請求項４に係る考案）
請求項４に係る考案では、請求項１ないし請求項３のいずれか１つに記載の背中用汗吸収具（１０）において、
保持部材（２０）は、平面視略縦長のＣ字状に成形した形状であって、バネ性を有する構造であるという技術的手段を有する。
【手続補正６】
【補正対象書類名】明細書
【補正対象項目名】００１５
【補正方法】変更
【補正の内容】
【００１５】
（請求項２に係る考案の効果）
請求項２に係る考案によれば、保持部材は、ヒトの背中または腰の周囲に装着するように帯状または紐状に構成されているため、保持部材が首に紐を掛ける構成になっているもののように、背中用汗吸収具を装着していることが外部から分かるおそれがない。
また、汗吸収体は、保持部材に着脱可能に取付けられているため、汗を吸収した汗吸収体を取り替えることができる。
【手続補正７】
【補正対象書類名】明細書
【補正対象項目名】００１６
【補正方法】変更
【補正の内容】
【００１６】
（請求項３に係る考案の効果）
請求項３に係る考案によれば、保持部材は、自身の長さを調節可能な面ファスナーを有するため、腰回りに応じて長さを調節することができるので、背中用汗吸収具の適用範囲を広くすることができる。
【手続補正８】
【補正対象書類名】明細書
【補正対象項目名】００１７
【補正方法】変更
【補正の内容】
【００１７】
（請求項４に係る考案の効果）
請求項４に係る考案によれば、保持部材は、平面視略縦長のＣ字状に成形した形状であって、バネ性を有する構造であるため、保持部材が背中や腰に保持された状態を維持することができるので、汗吸収体が背中の窪みからずれ難い。また、保持部材は、手を離してもずり落ちないため、使用者は１人で背中用汗吸収具を装着することができる。
【手続補正９】
【補正対象書類名】明細書
【補正対象項目名】００２９
【補正方法】変更
【補正の内容】
【００２９】
また、汗吸収体３０を交換する場合は、面ファスナー２６，３３（図２）によって貼着されている汗吸収体３０を保持部材２０から外し、面ファスナーを２６，３３使って新しい汗吸収体３０を保持部材２０に貼着する。
また、吸収材２５を交換する場合は、切り込み２７から芯材２４を取出し、新しい吸収材２５の切り込み２７から芯材２４を挿入する。